(57)【要約】【課題】大型化が抑制され広範囲に送風可能なバッテリ式扇風機を提供すること。【解決手段】バッテリ式扇風機は、回転軸を中心に回転するファンと、ファンを収容する本体ハウジングと、本体ハウジングの下方に配置され本体ハウジングを支持する台座部と、台座部に配置され横首振軸を中心に本体ハウジングを左右方向に回動させる首振装置と、台座部に配置され電動工具用バッテリが装着されるバッテリ装着部と、を備える。首振装置とバッテリ装着部とは、台座部において左右方向に配置される。【選択図】図１
2020106018.tif 000002
【特許請求の範囲】
【請求項１】
回転軸を中心に回転するファンと、
前記ファンを収容する本体ハウジングと、
前記本体ハウジングの下方に配置され前記本体ハウジングを支持する台座部と、
前記台座部に配置され横首振軸を中心に前記本体ハウジングを左右方向に回動させる首振装置と、
前記台座部に配置され電動工具用バッテリが装着されるバッテリ装着部と、を備え、
前記首振装置と前記バッテリ装着部とは、前記台座部において左右方向に配置される、
バッテリ式扇風機。
【請求項２】
前記首振装置は、前記本体ハウジングを回動させる動力を発生する首振モータを有し、
前記バッテリ装着部は、左右方向において前記横首振軸の一方側に配置され、
前記首振モータは、左右方向において前記横首振軸の他方側に配置される、
請求項１に記載のバッテリ式扇風機。
【請求項３】
前記台座部に設けられる操作装置を備え、
前記操作装置は、左右方向において前記横首振軸の他方側に配置される、
請求項２に記載のバッテリ式扇風機。
【請求項４】
前記操作装置は、前記台座部の前面に配置される、
請求項３に記載のバッテリ式扇風機。
【請求項５】
前記台座部の前面に設けられる第１開口と、
前記第１開口に接続され前記バッテリ装着部が配置される内部空間と、を備える、
請求項１から請求項４のいずれか一項に記載のバッテリ式扇風機。
【請求項６】
前記台座部の後面に設けられ前記内部空間に接続される第２開口を備える、
請求項５に記載のバッテリ式扇風機。
【請求項７】
前記電動工具用バッテリは、表示装置を有し、
前記電動工具用バッテリが前記バッテリ装着部に装着された状態で、前記表示装置は、前記第２開口に面する、
請求項６に記載のバッテリ式扇風機。
【請求項８】
前記バッテリ装着部は、前記内部空間の上壁面に設けられる、
請求項５から請求項７のいずれか一項に記載のバッテリ式扇風機。
【請求項９】
前記本体ハウジングは、前記回転軸と平行な方向において前記ファンの一方側に配置される前ハウジングと、前記ファンの他方側に配置される後ハウジングとを含み、
前記前ハウジングと前記後ハウジングとを解放可能に固定するロック機構を備える、
請求項１から請求項８のいずれか一項に記載のバッテリ式扇風機。
【請求項１０】
前記本体ハウジングを支持する支持枠を備え、
前記支持枠は、前記横首振軸を中心に前記台座部に回動可能に支持される基部と、縦首振軸を中心に前記本体ハウジングを回動可能に支持するアーム部とを有し、
前記ロック機構は、前記基部よりも上方に配置される、
請求項９に記載のバッテリ式扇風機。
【請求項１１】
前記本体ハウジングの上部に設けられるハンドルを備え、
前記ロック機構は、前記回転軸の周方向において前記基部と前記ハンドルとの間に配置される、
請求項１０に記載のバッテリ式扇風機。
【請求項１２】
前記横首振軸と平行な方向において、前記ロック機構の少なくとも一部の位置と前記縦首振軸の位置とは一致する、
請求項１０又は請求項１１に記載のバッテリ式扇風機。
【請求項１３】
前記ロック機構は、前記前ハウジング及び前記後ハウジングの一方に配置されるロック孔部と、前記前ハウジング及び前記後ハウジングの他方に配置されるボタン機構とを含み、
前記ロック孔部は、長孔部と、前記回転軸の周方向において前記長孔部に隣接し前記長孔部の幅よりも大きい直径を有する円孔部とを含み、
前記ボタン機構は、軸部と、前記軸部よりも大径の固定部とを含み、
前記固定部が前記円孔部に配置された状態で、前記前ハウジングと前記後ハウジングとが固定され、
前記軸部が前記ロック孔部に配置された状態で、前記前ハウジングと前記後ハウジングとの固定が解除される、
請求項９から請求項１２のいずれか一項に記載のバッテリ式扇風機。
【請求項１４】
前記ロック孔部は、前記本体ハウジングに着脱可能なアタッチメント部材に設けられる、
請求項１３に記載のバッテリ式扇風機。
【請求項１５】
前記ボタン機構は、前記後ハウジングに配置され、
前記前ハウジングは、前記回転軸の放射方向に突出する凸部を有する、
請求項１３又は請求項１４に記載のバッテリ式扇風機。
【請求項１６】
前記ロック機構は、前記前ハウジング及び前記後ハウジングの一方に配置される雌ねじ孔部と、前記前ハウジング及び前記後ハウジングの他方に配置され雄ねじ部を有するねじとを含み、
前記雄ねじ部と前記雌ねじ孔部とが結合された状態で、前記前ハウジングと前記後ハウジングとが固定され、
前記雄ねじ部と前記雌ねじ孔部との結合が解除された状態で、前記前ハウジングと前記後ハウジングとの固定が解除される、
請求項９から請求項１２のいずれか一項に記載のバッテリ式扇風機。
【請求項１７】
前記雌ねじ孔部は、前記本体ハウジングに着脱可能なアタッチメント部材に設けられる、
請求項１６に記載のバッテリ式扇風機。
【請求項１８】
前記ねじは、頭部及び胴部を有し、
前記雄ねじ部の外径は、前記胴部の外径よりも大きく、
前記前ハウジング及び前記後ハウジングの他方は、前記頭部が配置される第１空間と、  区画壁により前記第１空間と区画され前記雄ねじ部が配置される第２空間とを有し、
前記区画壁は、前記胴部が配置される貫通孔を有し、
前記第２空間において前記胴部の周囲に配置されるワッシャを備える、
請求項１６又は請求項１７に記載のバッテリ式扇風機。
【請求項１９】
前記第１空間において前記頭部と前記区画壁との間に配置され前記雄ねじ部が前記雌ねじ孔部から退去する方向に弾性力を発生するばねを備え、
前記雌ねじ孔部は、前記ねじの先端面に対向する底面を有する、
請求項１８に記載のバッテリ式扇風機。
【発明の詳細な説明】
【技術分野】
【０００１】
本発明は、バッテリ式扇風機に関する。
【背景技術】
【０００２】
建築現場のような作業現場において、特許文献１に開示されているようなバッテリ式扇風機が使用される。
【先行技術文献】
【特許文献】
【０００３】
【特許文献１】特開２０１８−０５３７７０号公報
【発明の概要】
【発明が解決しようとする課題】
【０００４】
バッテリ式扇風機は、作業現場の複数の場所に運搬されたり狭い場所で使用されたりする場合がある。また、バッテリ式扇風機は、使用前後において車両に搭載された状態で運搬される場合がある。そのため、バッテリ式扇風機は、小型であることが望ましい。また、作業現場において、作業者は移動しながら作業したり体勢を変えながら作業したりする場合がある。また、作業現場において、複数の作業者が異なる場所で作業する場合がある。そのため、バッテリ式扇風機は、広範囲に送風できることが望ましい。
【０００５】
本発明の態様は、大型化が抑制され広範囲に送風可能なバッテリ式扇風機を提供することを目的とする。
【課題を解決するための手段】
【０００６】
本発明の態様に従えば、回転軸を中心に回転するファンと、前記ファンを収容する本体ハウジングと、前記本体ハウジングの下方に配置され前記本体ハウジングを支持する台座部と、前記台座部に配置され横首振軸を中心に前記本体ハウジングを左右方向に回動させる首振装置と、前記台座部に配置され電動工具用バッテリが装着されるバッテリ装着部と、を備え、前記首振装置と前記バッテリ装着部とは、前記台座部において左右方向に配置される、バッテリ式扇風機が提供される。
【発明の効果】
【０００７】
本発明の態様によれば、大型化が抑制され広範囲に送風可能なバッテリ式扇風機が提供される。
【図面の簡単な説明】
【０００８】
【図１】図１は、第１実施形態に係るバッテリ式扇風機を示す正面図である。
【図２】図２は、第１実施形態に係るバッテリ式扇風機を示す背面図である。
【図３】図３は、第１実施形態に係るバッテリ式扇風機を示す側面図である。
【図４】図４は、第１実施形態に係るバッテリ式扇風機を示す下面図である。
【図５】図５は、図１のＡ−Ａ線断面図である。
【図６】図６は、第１実施形態に係る前ハウジングを示す斜視図である。
【図７】図７は、第１実施形態に係る前フック部を示す拡大図である。
【図８】図８は、第１実施形態に係る前ハウジングを取り外した状態のバッテリ式扇風機を示す斜視図である。
【図９】図９は、第１実施形態に係る後フック部を示す拡大図である。
【図１０】図１０は、第１実施形態に係るマーク部を示す拡大図である。
【図１１】図１１は、図３のＢ−Ｂ線断面図である。
【図１２】図１２は、第１実施形態に係る首振装置を示す図である。
【図１３】図１３は、第１実施形態に係るアタッチメント部材を示す拡大図である。
【図１４】図１４は、第１実施形態に係るボタン機構を示す斜視図である。
【図１５】図１５は、第１実施形態に係る前ハウジングを取り外した状態のバッテリ式扇風機を示す斜視図である。
【図１６】図１６は、第１実施形態に係るアタッチメント部材及びボタン機構を示す斜視図である。
【図１７】図１７は、第１実施形態に係るボタン機構を示す斜視図である。
【図１８】図１８は、第１実施形態に係るアタッチメント部材及びボタン機構を示す斜視図である。
【図１９】図１９は、第１実施形態に係るバッテリ式扇風機を示すブロック図である。
【図２０】図２０は、第２実施形態に係るバッテリ式扇風機を示す正面図である。
【図２１】図２１は、第２実施形態に係るロック機構を示す拡大図である。
【図２２】図２２は、第２実施形態に係る前ハウジングを示す斜視図である。
【図２３】図２３は、第２実施形態に係る雄ねじ部を示す拡大図である。
【図２４】図２４は、第２実施形態に係る後ハウジングを示す斜視図である。
【図２５】図２５は、第２実施形態に係るアタッチメント部材を示す拡大図である。
【図２６】図２６は、第３実施形態に係るバッテリ式扇風機を示す正面図である。
【図２７】図２７は、第３実施形態に係るバッテリ式扇風機を示す背面図である。
【図２８】図２８は、第３実施形態に係るバッテリ式扇風機を示す側面図である。
【図２９】図２９は、第３実施形態に係るバッテリ式扇風機を示す斜視図である。
【図３０】図３０は、第４実施形態に係るバッテリ式扇風機の一部を示す背面図である。
【図３１】図３１は、第４実施形態に係るロック機構を示す断面図である。
【図３２】図３２は、第４実施形態に係るロック機構を示す断面図である。
【発明を実施するための形態】
【０００９】
以下、本発明に係る実施形態について図面を参照しながら説明するが、本発明は実施形態に限定されない。以下で説明する実施形態の構成要素は、適宜組み合わせることができる。また、一部の構成要素を用いない場合もある。
【００１０】
以下の説明においては、ＸＹＺ直交座標系を設定し、このＸＹＺ直交座標系を参照しつつ各部の位置関係について説明する。所定面内のＸ軸と平行な方向をＸ軸方向とする。所定面内においてＸ軸と直交するＹ軸と平行な方向をＹ軸方向とする。Ｘ軸及びＹ軸のそれぞれと直交するＺ軸と平行な方向をＺ軸方向とする。Ｘ軸方向を前後方向とする。Ｙ軸方向を左右方向とする。Ｚ軸方向を上下方向とする。＋Ｘ方向は前方であり、−Ｘ方向は後方である。＋Ｙ方向は左方であり、−Ｙ方向は右方である。＋Ｚ方向は上方であり、−Ｚ方向は下方である。以下の説明においては、Ｘ軸及びＹ軸を含む所定面を適宜、ＸＹ平面、と称する。
【００１１】
［第１実施形態］
＜バッテリ式扇風機の概要＞
図１は、本実施形態に係るバッテリ式扇風機１を示す正面図である。図２は、本実施形態に係るバッテリ式扇風機１を示す背面図である。図３は、本実施形態に係るバッテリ式扇風機１を示す側面図である。図４は、本実施形態に係るバッテリ式扇風機１を示す下面図である。図５は、図１のＡ−Ａ線断面図である。
【００１２】
バッテリ式扇風機１は、本体部１０と、本体部１０の下方に配置され本体部１０を支持する台座部２０と、台座部２０に配置され横首振軸ＡＸ１を中心に本体部１０を左右方向に回動させる首振装置３０と、台座部２０に配置され電動工具用バッテリ１００が装着されるバッテリ装着部２３０とを備える。バッテリ式扇風機１は、電動工具用バッテリ１００から供給される電力により作動する。
【００１３】
本体部１０は、電動モータ１１と、電動モータ１１が発生する動力により回転軸ＲＸを中心に回転するファン１２と、ファン１２を収容する本体ハウジング１３と、電動モータ１１を収容するモータハウジング１６と、本体ハウジング１３の上部に設けられるハンドル１７と、縦首振軸ＡＸ２を中心に本体ハウジング１３を上下方向に回動可能に支持する支持枠１８と、本体ハウジング１３の上下方向の角度を維持する角度調整機構１９とを有する。
【００１４】
横首振軸ＡＸ１は、ＸＹ平面と直交する。縦首振軸ＡＸ２は、ＸＹ平面と平行である。回転軸ＲＸは、縦首振軸ＡＸ２と直交する。Ｙ軸方向において、横首振軸ＡＸ１の位置と回転軸ＲＸの位置とは一致する。Ｚ軸方向において、縦首振軸ＡＸ２の位置と回転軸ＲＸの位置とは一致する。
【００１５】
電動モータ１１は、ファン１２を回転させる動力を発生する。電動モータ１１は、電動工具用バッテリ１００から供給される電力により駆動する直流モータである。電動モータ１１は、本体部１０の後部に配置される。電動モータ１１は、固定子と、回転子１１２と、ファン１２に連結される出力軸１１１とを有する。固定子は、コイルを含む。回転子１１２は、磁石を含む。固定子のコイルに電流が供給されることによって、回転子１１２が回転する。回転子１１２が回転することによって、電動モータ１１の出力軸１１１が回転する。出力軸１１１が回転することによって、回転軸ＲＸを中心にファン１２が回転する。
【００１６】
ファン１２は、電動モータ１１が発生する動力により回転軸ＲＸを中心に回転する。ファン１２は、電動モータ１１の前方に配置される。ファン１２は、本体ハウジング１３に収容される。ファン１２は、出力軸１１１に連結される円筒部１２１と、円筒部１２１に接続される複数の羽根部１２２とを有する。羽根部１２２は、円筒部１２１の周囲に配置される。本実施形態においては、３枚の羽根部１２２が円筒部１２１の周囲に等間隔で配置される。
【００１７】
本体ハウジング１３は、ファン１２を収容する。本体ハウジング１３は、回転軸ＲＸと平行な方向においてファン１２の一方側に配置される前ハウジング１４と、ファン１２の他方側に配置される後ハウジング１５とを含む。前ハウジング１４の周縁部と後ハウジング１５の周縁部とが連結される。本体ハウジング１３は、縦首振軸ＡＸ２と平行な方向において本体ハウジング１３の一端部及び他端部のそれぞれに配置される凸部１３１を有する。
【００１８】
モータハウジング１６は、電動モータ１１を収容する。モータハウジング１６は、円筒状である。モータハウジング１６は、後ハウジング１５に接続される。なお、モータハウジング１６は、後ハウジング１５と一体でもよい。
【００１９】
ハンドル１７は、使用者に握られる。使用者は、ハンドル１７を握った状態でバッテリ式扇風機１を運搬することができる。ハンドル１７は、本体ハウジング１３の上部から上方に突出する。ハンドル１７は、後ハウジング１５の上部に固定される一対の突出部１７１と、一対の突出部１７１の上端部を連結する連結部１７２とを有する。突出部１７１は、後ハウジング１５の上部から上方に突出する。一対の突出部１７１は、縦首振軸ＡＸ２と平行な方向に配置される。
【００２０】
支持枠１８は、縦首振軸ＡＸ２を中心に本体ハウジング１３を回動可能に支持する。支持枠１８は、横首振軸ＡＸ１を中心に台座部２０に回動可能に支持される。支持枠１８は、台座部２０に支持される基部１８１と、基部１８１の下方に配置される軸部１８２と、基部１８１の上方に配置されるアーム部１８３とを有する。
【００２１】
基部１８１は、横首振軸ＡＸ１を中心に台座部２０に回動可能に支持される。基部１８１は、円板状である。基部１８１は、軸部１８２を介して首振装置３０と連結される。
【００２２】
軸部１８２は、台座部２０に収容される。軸部１８２は、基部１８１に固定される。軸部１８２は、首振装置３０と連結される。軸部１８２は、横首振軸ＡＸ１と一致する。軸部１８２は、首振装置３０により横首振軸ＡＸ１を中心に回動する。軸部１８２が回動すると、基部１８１が軸部１８２と一緒に横首振軸ＡＸ１を中心に回動する。
【００２３】
アーム部１８３は、縦首振軸ＡＸ２を中心に本体ハウジング１３を回動可能に支持する。アーム部１８３は、本体ハウジング１３の凸部１３１を支持する。アーム部１８３の少なくとも一部は、本体ハウジング１３の下方に配置される。
【００２４】
角度調整機構１９は、本体ハウジング１３の上下方向の角度を維持する。本体ハウジング１３の上下方向の角度とは、縦首振軸ＡＸ２を中心とする回転方向における本体ハウジング１３の角度をいう。角度調整機構１９は、凸部１３１とアーム部１８３の先端部とを固定することによって、本体ハウジング１３の上下方向の角度を維持する。
【００２５】
台座部２０は、本体ハウジング１３の下方に配置される。台座部２０は、横首振軸ＡＸ１を中心に本体ハウジング１３及び支持枠１８を回動可能に支持する。台座部２０は、例えば床面又は地面のような設置面に設置される。台座部２０は、＋Ｘ方向を向く前面２０１と、−Ｘ方向を向く後面２０２と、＋Ｙ方向を向く左側面２０３と、−Ｙ方向を向く右側面２０４と、＋Ｚ方向を向く上面２０５と、−Ｚ方向を向く下面２０６とを有する。
【００２６】
台座部２０は、首振装置３０の少なくとも一部を収容する第１収容部２１と、首振装置３０の少なくとも一部を収容する第２収容部２２と、バッテリ装着部２３０及び電動工具用バッテリ１００を収容する第３収容部２３とを有する。第１収容部２１と第２収容部２２と第３収容部２３とは左右方向に配置される。第２収容部２２は、第１収容部２１の左方に配置される。第３収容部２３は、第１収容部２１の右方に配置される。
【００２７】
首振装置３０は、横首振軸ＡＸ１を中心に本体ハウジング１３及び支持枠１８を左右方向に回動させる。首振装置３０は、本体ハウジング１３の左右方向の角度を調整する。本体ハウジング１３の左右方向の角度とは、横首振軸ＡＸ１を中心とする回転方向における本体ハウジング１３の角度をいう。首振装置３０は、支持枠１８を回動させることによって、本体ハウジング１３を回動させる。首振装置３０は、本体ハウジング１３及び支持枠１８を回動させる動力を発生する首振モータ３１と、首振モータ３１が発生した動力を支持枠１８の軸部１８２に伝達する動力伝達機構３９とを有する。
【００２８】
本体ハウジング１３は、首振装置３０によりＸＹ平面内において往復動作する。本体ハウジング１３の往復動作とは、所謂、本体ハウジング１３の首振り動作をいう。本体ハウジング１３は、往復範囲の中心位置を中心として左右方向に往復動作する。本体ハウジング１３の往復範囲とは、所謂、本体ハウジング１３の首振り範囲をいう。首振装置３０は、往復範囲の中心位置を中心として、本体ハウジング１３を左右方向に規定角度で往復動作させる。一例として、本体ハウジング１３は、首振装置３０により、左右方向に４５度で往復動作する。本体ハウジング１３が往復範囲の中心位置に配置されたとき、回転軸ＲＸとＸ軸とが平行となる。
【００２９】
本実施形態において、首振装置３０とバッテリ装着部２３０とは、台座部２０において左右方向に配置される。
【００３０】
左右方向とは、本体ハウジング１３が往復範囲の中心位置に配置された状態で、ＸＹ平面内において回転軸ＲＸと直交する方向をいう。本実施形態において、左右方向は、本体ハウジング１３が往復範囲の中心位置に配置された状態で、縦首振軸ＡＸ２と平行な方向である。なお、左右方向は、台座部２０の左側面２０３と右側面２０４とを結ぶ仮想線と平行な方向でもよい。
【００３１】
＜本体ハウジング＞
図６は、本実施形態に係る前ハウジング１４を示す斜視図である。図１、図３、図５、及び図６に示すように、前ハウジング１４は、枠部１４１と、網状部１４２と、前フック部１４３と、マーク部１４４とを有する。
【００３２】
枠部１４１は、回転軸ＲＸの放射方向においてファン１２の外側に配置される。枠部１４１は、筒状である。枠部１４１は、網状部１４２を支持する。枠部１４１は、外筒部１４１ａと、内筒部１４１ｂと、前壁部１４１ｃとを有する。内筒部１４１ｂは、外筒部１４１ａの内側に配置される。外筒部１４１ａの中心と内筒部１４１ｂの中心と回転軸ＲＸとは一致する。前壁部１４１ｃは、円環状である。前壁部１４１ｃは、外筒部１４１ａの前端部と内筒部１４１ｂの前端部とを繋ぐ。外筒部１４１ａと内筒部１４１ｂと前壁部１４１ｃとは一体である。
【００３３】
網状部１４２は、ファン１２の前面と対向する。網状部１４２は、枠部１４１の内側に配置される。網状部１４２は、前方に突出するように湾曲する。
【００３４】
前フック部１４３は、前ハウジング１４と後ハウジング１５とを連結する。前フック部１４３と後ハウジング１５の少なくとも一部とが結合されることによって、前ハウジング１４と後ハウジング１５とが連結される。前フック部１４３は、枠部１４１に複数配置される。本実施形態においては、４つの前フック部１４３が回転軸ＲＸの周方向に等間隔に配置される。
【００３５】
図７は、本実施形態に係る前フック部１４３を示す拡大図である。前フック部１４３は、基部１４３ａと、前端面部１４３ｃを有する突出部１４３ｂとを含む。基部１４３ａは、前壁部１４１ｃから後方に突出する。突出部１４３ｂは、基部１４３ａの後端部から回転軸ＲＸの周方向の一方に延在する。突出部１４３ｂと前壁部１４１ｃとは離れている。
【００３６】
図８は、本実施形態に係る前ハウジング１４を取り外した状態のバッテリ式扇風機１を示す斜視図である。図２、図３、図５、及び図８に示すように、後ハウジング１５は、枠部１５１と、網状部１５２と、後フック部１５３と、マーク部１５４とを有する。
【００３７】
枠部１５１は、回転軸ＲＸの放射方向においてファン１２の外側に配置される。枠部１５１は、筒状である。枠部１５１は、網状部１５２を支持する。枠部１５１は、外筒部１５１ａと、内筒部１５１ｂと、後壁部１５１ｃとを有する。内筒部１５１ｂは、外筒部１５１ａの内側に配置される。外筒部１５１ａの中心と内筒部１５１ｂの中心と回転軸ＲＸとは一致する。後壁部１５１ｃは、円環状である。後壁部１５１ｃは、外筒部１５１ａの後端部と内筒部１５１ｂの後端部とを繋ぐ。外筒部１５１ａと内筒部１５１ｂと後壁部１５１ｃとは一体である。
【００３８】
網状部１５２は、ファン１２の後面と対向する。網状部１５２は、枠部１５１の内側に配置される。網状部１５２は、後方に突出するように湾曲する。
【００３９】
後フック部１５３は、前ハウジング１４と後ハウジング１５とを連結する。前フック部１４３と後フック部１５３とが結合されることによって、前ハウジング１４と後ハウジング１５とが連結される。後フック部１５３は、枠部１５１に複数配置される。本実施形態においては、４つの後フック部１５３が回転軸ＲＸの周方向において等間隔に配置される。
【００４０】
図９は、本実施形態に係る後フック部１５３を示す拡大図である。後フック部１５３は、基部１５３ａと、後端面部１５３ｃを有する突出部１５３ｂとを含む。基部１５３ａは、後壁部１５１ｃから前方に突出する。突出部１５３ｂは、基部１５３ａの前端部から回転軸ＲＸの周方向の他方に延在する。突出部１５３ｂと後壁部１５１ｃとは離れている。
【００４１】
前フック部１４３の突出部１４３ｂが後フック部１５３の突出部１５３ｂに掛けられることにより、前フック部１４３と後フック部１５３とが結合される。突出部１４３ｂが突出部１５３ｂに掛けられる状態とは、前端面部１４３ｃと後端面部１５３ｃとが接触するように、突出部１４３ｂが突出部１５３ｂと後壁部１５１ｃとの間に配置され、突出部１５３ｂが突出部１４３ｂと前壁部１４１ｃとの間に配置される状態をいう。
【００４２】
図１０は、本実施形態に係るマーク部１４４及びマーク部１５４を示す拡大図である。マーク部１４４及びマーク部１５４は、前ハウジング１４と後ハウジング１５とを連結するときの位置合わせ用のマークである。マーク部１４４は、外筒部１４１ａの上部に配置される。マーク部１５４は、外筒部１５１ａの上部に配置される。
【００４３】
マーク部１４４とマーク部１５４とが一致するように、枠部１４１の後端面と枠部１５１の前端面とが接触された状態で、後ハウジング１５に対して前ハウジング１４が回転軸ＲＸの周方向の一方に回転されることにより、前フック部１４３の突出部１４３ｂが後フック部１５３の突出部１５３ｂに掛けられ、前フック部１４３と後フック部１５３とが結合される。枠部１４１の後端面は、外筒部１４１ａの後端面及び内筒部１４１ｂの後端面を含む。枠部１５１の前端面は、外筒部１５１ａの前端面及び内筒部１４１ｂの前端面を含む。後ハウジング１５に対して前ハウジング１４が回転軸ＲＸの周方向の他方に回転されることにより、前フック部１４３が後フック部１５３から離れ、前フック部１４３と後フック部１５３との結合が解除される。
【００４４】
前フック部１４３と後フック部１５３とが結合されることにより、前ハウジング１４と後ハウジング１５とが連結される。前フック部１４３と後フック部１５３との結合が解除されることにより、前ハウジング１４と後ハウジング１５との連結が解除される。
【００４５】
＜支持枠＞
図１１は、図３のＢ−Ｂ線断面図である。図１、図２、図３、図５、図８、及び図１１に示すように、支持枠１８は、基部１８１と、軸部１８２と、アーム部１８３とを有する。
【００４６】
基部１８１は、台座部２０の上面２０５に支持される。基部１８１は、円板状である。基部１８１は、台座部２０の上面２０５において横首振軸ＡＸ１を中心に回動する。
【００４７】
軸部１８２は、基部１８１の下方に配置される。軸部１８２は、台座部２０の内部に配置される。軸部１８２は、棒状である。軸部１８２は、台座部２０に収容される。軸部１８２は、首振装置３０と連結される。軸部１８２は、首振装置３０により横首振軸ＡＸ１を中心に回動する。基部１８１は、軸部１８２と一緒に回動する。
【００４８】
アーム部１８３は、基部１８１の上方に配置される。アーム部１８３は、基部１８１から縦首振軸ＡＸ２と平行な方向の一方側に向かって上方に延在する第１アーム部１８３Ａと、基部１８１から縦首振軸ＡＸ２と平行な方向の他方側に向かって上方に延在する第２アーム部１８３Ｂとを含む。アーム部１８３は、縦首振軸ＡＸ２を中心に本体ハウジング１３を回動可能に支持する。アーム部１８３は、本体ハウジング１３の凸部１３１を回転可能に支持する。第１アーム部１８３Ａは、一方の凸部１３１を支持し、第２アーム部１８３Ｂは、他方の凸部１３１を支持する。
【００４９】
＜台座部＞
図１、図２、図３、図４、図５、図８、及び図１１に示すように、台座部２０は、本体ハウジング１３の下方に配置される。台座部２０は、下面２０６から下方に突出する複数の脚部２０Ｆを有する。脚部２０Ｆは、下面２０６の角部に配置される。脚部２０Ｆは、設置面と接触する。下面２０６は、間隙を介して設置面と対向する。
【００５０】
第１収容部２１は、箱状である。第１収容部２１は、首振装置３０の少なくとも一部を収容する。第１収容部２１は、軸部１８２を収容する。
【００５１】
第２収容部２２は、箱状である。第２収容部２２は、第１収容部２１の左方に配置される。第２収容部２２の内部空間は、第１収容部２１の内部空間と接続される。第２収容部２２は、首振装置３０の少なくとも一部を収容する。本実施形態において、第２収容部２２は、少なくとも首振モータ３１を収容する。
【００５２】
第３収容部２３は、箱状である。第３収容部２３は、第１収容部２１の右方に配置される。第１収容部２１の内部空間と第３収容部２３の内部空間との境界に内壁２７が設けられる。すなわち、第３収容部２３の内部空間は、第１収容部２１の内部空間及び第２収容部２２の内部空間と隔離される。第３収容部２３は、バッテリ装着部２３０及び電動工具用バッテリ１００を収容する。
【００５３】
台座部２０は、第３収容部２３の前面２０１に設けられる第１開口２３１と、第３収容部２３の後面２０２に設けられる第２開口２３２とを有する。第１開口２３１及び第２開口２３２のそれぞれは、バッテリ装着部２３０が配置される第３収容部２３の内部空間に接続される。第１開口２３１は、電動工具用バッテリ１００が通過可能な大きさである。第２開口２３２は、電動工具用バッテリ１００が通過不可能な大きさである。
【００５４】
図２に示すように、台座部２０は、電源端子２５を有する。電源端子２５は、第２収容部２２の後面２０２に配置される。電源端子２５は、ＡＣ(Alternating  Current)アダプタを介して交流電源（商用電源）に接続される。ＡＣアダプタは、交流電源から供給された交流電力を直流電力に変換して、電源端子２５に出力する。電源端子２５は、カバー２５１で覆われる。
【００５５】
＜首振装置＞
図１２は、本実施形態に係る首振装置３０を示す図であり、図１のＣ−Ｃ断面図に相当する。図１、図５、図１１、及び図１２に示すように、首振装置３０の少なくとも一部は、台座部２０の第１収容部２１に収容される。首振装置３０の少なくとも一部は、台座部２０の第２収容部２２に収容される。首振装置３０は、首振モータ３１と、首振モータ３１が発生した動力を軸部１８２に伝達する動力伝達機構３９とを有する。動力伝達機構３９は、支持板３２と、第１ピン３３と、第１リンク３４と、第２ピン３５と、第２リンク３６と、第３ピン３７と、回転板３８とを含む。
【００５６】
首振モータ３１は、支持枠１８及び本体ハウジング１３を回動させる動力を発生する。首振モータ３１は、電動工具用バッテリ１００から供給される電力により駆動する直流モータである。首振モータ３１は、横首振軸ＡＸ１（軸部１８２）の左方に配置される。首振モータ３１は、第２収容部２２に収容される。
【００５７】
首振モータ３１は、固定子と、回転子と、ギヤを介して第１ピン３３に連結される出力軸３１１とを有する。本実施形態において、首振モータ３１の出力軸３１１は、Ｚ軸と平行である。固定子は、コイルを含む。回転子は、固定子のコイルに電流が供給されることによって、回転子が回転する。回転子が回転することによって、首振モータ３１の出力軸３１１が回転する。
【００５８】
首振モータ３１が発生した動力は、動力伝達機構３９を介して支持枠１８の軸部１８２に伝達される。軸部１８２と横首振軸ＡＸ１とは一致する。軸部１８２は、首振モータ３１が発生した動力により、横首振軸ＡＸ１を中心に回動する。軸部１８２が回動することにより、本体ハウジング１３及び支持枠１８が横首振軸ＡＸ１を中心に回動する。
【００５９】
支持板３２は、首振モータ３１の下方に配置される。支持板３２は、第２収容部２２に固定される。支持板３２は、第１ピン３３及び第１ピン３３に接続されるギヤを回転可能に支持する。また、支持板３２は、首振モータ３１を支持する。
【００６０】
第１ピン３３は、ギヤを介して首振モータ３１の出力軸３１１に連結される。ＸＹ平面内において、出力軸３１１と第１ピン３３とは異なる位置に配置される。第１ピン３３は、首振モータ３１が発生した動力により回転する。
【００６１】
第１リンク３４は、第１ピン３３の回転力を第２リンク３６に伝達する。第１リンク３４の一端部は、第１ピン３３に連結される。第１リンク３４の他端部は、第２ピン３５を介して第２リンク３６に連結される。
【００６２】
第２ピン３５は、第１リンク３４と第２リンク３６とを連結する。
【００６３】
第２リンク３６は、第１リンク３４を介して伝達される第１ピン３３の回転力を回転板３８に伝達する。第２リンク３６の一端部は、第１リンク３４に連結される。第２リンク３６の他端部は、回転板３８に連結される。
【００６４】
第３ピン３７は、第２リンク３６と回転板３８とを連結する。ＸＹ平面内において、第３ピン３７と回転板３８の中心の位置とは異なる。
【００６５】
回転板３８は、支持枠１８の軸部１８２に連結される。回転板３８の中心と横首振軸ＡＸ１とは一致する。回転板３８は、第２リンク３６に連動して横首振軸ＡＸ１を中心に回動する。
【００６６】
首振モータ３１が駆動すると、第１ピン３３が回転する。第１ピン３３の回転力は、第１リンク３４を介して第２ピン３５に伝達される。第２ピン３５は、第１ピン３３の周囲の一部を旋回する。第２ピン３５と第３ピン３７とは第２リンク３６を介して連結される。第２ピン３５の旋回により、第３ピン３７は、横首振軸ＡＸ１の周囲の一部を旋回する。第３ピン３７の旋回により、回転板３８が横首振軸ＡＸ１を中心に回動する。回転板３８の回動により、軸部１８２が横首振軸ＡＸ１を中心に回動する。
【００６７】
＜バッテリ装着部及び電動工具用バッテリ＞
バッテリ装着部２３０は、電動工具用バッテリ１００を着脱可能に支持する。図１、図４、図８、及び図１１に示すように、バッテリ装着部２３０は、横首振軸ＡＸ１（軸部１８２）の右方に配置される。バッテリ装着部２３０は、第３収容部２３に収容される。本実施形態において、バッテリ装着部２３０は、第３収容部２３の内部空間の上壁面２３ａに設けられる。
【００６８】
バッテリ装着部２３０は、一対のガイドレール２３０Ｇと、電動工具用バッテリ１００のバッテリ端子に接続される接続端子とを有する。ガイドレール２３０Ｇは、前後方向に延在する。一対のガイドレール２３０Ｇは、平行に配置される。接続端子は、一対のガイドレール２３０Ｇの間に配置される。ガイドレール２３０Ｇ及び接続端子は、第３収容部２３の内部空間の上壁面２３ａに配置される。
【００６９】
電動工具用バッテリ１００は、携帯用の電動工具の電源である。電動工具用バッテリ１００は、複数のリチウムイオン電池セルを含む。電動工具用バッテリ１００は、充電器により充電可能である。電動工具用バッテリ１００は、少なくとも電動モータ１１及び首振装置３０の首振モータ３１に電力を供給する。
【００７０】
電動工具用バッテリ１００は、一対のスライドレール１０１と、バッテリ装着部２３０の接続端子に接続されるバッテリ端子と、解除ボタン１０２とを有する。
【００７１】
スライドレール１０１は、バッテリ装着部２３０のガイドレール２３０Ｇにガイドされる。一対のスライドレール１０１は、平行に配置される。バッテリ端子は、一対のスライドレール１０１の間に配置される。電動工具用バッテリ１００がバッテリ装着部２３０に装着された状態で、電動工具用バッテリ１００のバッテリ端子とバッテリ装着部２３０の接続端子とが接続される。
【００７２】
解除ボタン１０２は、電動工具用バッテリ１００とバッテリ装着部２３０との固定を解除するために操作される。
【００７３】
電動工具用バッテリ１００をバッテリ装着部２３０に装着する場合、電動工具用バッテリ１００が第１開口２３１を介して第３収容部２３の内部空間に挿入される。スライドレール１０１がガイドレール２３０Ｇにガイドされながら、電動工具用バッテリ１００が第３収容部２３の内部空間に挿入される。スライドレール１０１がガイドレール２３０Ｇにガイドされながら電動工具用バッテリ１００が第３収容部２３の内部空間に挿入されことにより、バッテリ装着部２３０の接続と電動工具用バッテリ１００のバッテリ端子とが接続される。これにより、電動工具用バッテリ１００がバッテリ装着部２３０に装着される。
【００７４】
電動工具用バッテリ１００をバッテリ装着部２３０から外す場合、解除ボタン１０２が操作される。解除ボタン１０２が操作されることにより、電動工具用バッテリ１００とバッテリ装着部２３０との固定が解除される。電動工具用バッテリ１００は、第１開口２３１を介して、第３収容部２３の内部空間から退去される。これにより、電動工具用バッテリ１００がバッテリ装着部２３０から外される。
【００７５】
図２に示すように、本実施形態において、電動工具用バッテリ１００は、操作ボタン１０３と、表示装置１０４とを有する。
【００７６】
表示装置１０４は、電動工具用バッテリ１００の残容量を表示する。表示装置１０４は、複数の発光部を有する。本実施形態において、表示装置１０４は、４つの発光部を有する。発光部は、発光ダイオード（ＬＥＤ：light  emitting  diode）を含む。電動工具用バッテリ１００の残容量に基づいて、点灯する発光部の数が決定される。電動工具用バッテリ１００の残容量が多い場合、４つの発光部が点灯する。電動工具用バッテリ１００の残容量が少なくなるほど、点灯する発光部の数が少なくなる。
【００７７】
操作ボタン１０３は、表示装置１０４を起動するために操作される。操作ボタン１０３が操作されることにより、表示装置１０４は、電動工具用バッテリ１００の残容量に基づいて、発光部を点灯させる。操作ボタン１０３の操作が解除されてから所定時間経過後、表示装置１０４は、電動工具用バッテリ１００の残容量の表示を停止する。
【００７８】
図２に示すように、電動工具用バッテリ１００がバッテリ装着部２３０に装着された状態で、表示装置１０４及び操作ボタン１０３は、第２開口２３２に面する。使用者は、第２開口２３２を介して、操作ボタン１０３を操作することができる。使用者は、第２開口２３２を介して、表示装置１０４を見ることができる。
【００７９】
＜操作装置＞
バッテリ式扇風機１は、台座部２０に設けられる操作装置２４を備える。操作装置２４は、少なくとも電動モータ１１の駆動及び首振モータ３１の駆動のために使用者に操作される。操作装置２４は、操作パネルを含む。操作装置２４は、横首振軸ＡＸ１（軸部１８２）の左方に配置される。操作装置２４は、台座部２０の第２収容部２２の前面２０１に配置される。
【００８０】
図８に示すように、操作装置２４は、電源ボタン２４１と、首振ボタン２４２と、風速操作部２４３と、タイマ操作部２４６とを有する。
【００８１】
電源ボタン２４１は、電動工具用バッテリ１００及び交流電源の少なくとも一方を含むバッテリ式扇風機１の電源のオンとオフとを切り替えるために操作される。首振ボタン２４２は、首振モータ３１の駆動開始と駆動停止とを切り替えるために操作される。
【００８２】
風速操作部２４３は、バッテリ式扇風機１の風速を切り替えるために操作される。風速操作部２４３は、風速切替ボタン２４４と、風速表示ランプ２４５とを有する。風速切替ボタン２４４は、バッテリ式扇風機１の風速を切り替えるために操作される。風速表示ランプ２４５は、設定された風速を表示する。
【００８３】
タイマ操作部２４６は、バッテリ式扇風機１の運転を停止するタイマを設定するために操作される。タイマ操作部２４６は、タイマボタン２４７と、タイマ表示ランプ２４８とを有する。タイマボタン２４７は、バッテリ式扇風機１の運転を自動で停止するタイマの操作を受け付ける。タイマ表示ランプ２４８は、設定されたタイマを表示する。
【００８４】
＜ロック機構＞
バッテリ式扇風機１は、前ハウジング１４と後ハウジング１５とを解放可能に固定するロック機構４０を備える。
【００８５】
図１、図３、図５、及び図８に示すように、ロック機構４０は、基部１８１よりも上方に配置される。本実施形態において、ロック機構４０は、本体ハウジング１３の下部に設けられる。ロック機構４０は、後ハウジング１５に配置されるアタッチメント部材４１と、前ハウジング１４に配置されるボタン機構５１とを含む。アタッチメント部材４１とボタン機構５１とが結合されることにより、前ハウジング１４と後ハウジング１５とが固定される。アタッチメント部材４１とボタン機構５１との結合が解除されることにより、前ハウジング１４と後ハウジング１５との固定が解除される。
【００８６】
図１３は、本実施形態に係るアタッチメント部材４１を示す拡大図である。アタッチメント部材４１は、後ハウジング１５に配置される。アタッチメント部材４１は、後ハウジング１５に着脱可能である。アタッチメント部材４１は、ねじ４５及びねじ４６によって後ハウジング１５の枠部１５１に固定される。ねじ４５及びねじ４６による固定が解除されることにより、アタッチメント部材４１が後ハウジング１５から外される。
【００８７】
アタッチメント部材４１は、基部４２と、筒部４３と、ロック孔部４４とを有する。
【００８８】
基部４２は、ねじ４５及びねじ４６により後ハウジング１５の枠部１５１に固定される。基部４２は、平板状である。
【００８９】
筒部４３は、基部４２に支持される。基部４２と筒部４３とは一体である。筒部４３は、側壁部４３ａと、前壁部４３ｂとを有する。
【００９０】
ロック孔部４４は、ボタン機構５１の少なくとも一部と連結される。ロック孔部４４は、筒部４３に設けられる。ロック孔部４４は、長孔部４４ａと、円孔部４４ｂと、円孔部４４ｃとを有する。長孔部４４ａは、回転軸ＲＸの周方向に長い。円孔部４４ｂは、回転軸ＲＸの周方向において長孔部４４ａの一端部に隣接する。円孔部４４ｃは、回転軸ＲＸの周方向において長孔部４４ａの他端部に隣接する。長孔部４４ａと円孔部４４ｂとは接続される。長孔部４４ａと円孔部４４ｃとは接続される。
【００９１】
図１４は、本実施形態に係るボタン機構５１を示す斜視図である。図１５は、本実施形態に係る前ハウジング１４を取り外した状態のバッテリ式扇風機１を示す斜視図である。図１６は、本実施形態に係るアタッチメント部材４１及びボタン機構５１を示す斜視図である。図１７は、本実施形態に係るボタン機構５１を示す斜視図である。図１８は、本実施形態に係るアタッチメント部材４１及びボタン機構５１を示す斜視図である。
【００９２】
ボタン機構５１は、前ハウジング１４に支持される。ボタン機構５１の少なくとも一部は、前ハウジング１４の枠部１４１に支持される。ボタン機構５１を支持する支持部６１が枠部１４１に設けられる。ボタン機構５１は、前ハウジング１４に着脱可能である。
【００９３】
ボタン機構５１は、前ハウジング１４の支持部６１に支持された状態で、回転軸ＲＸと平行な方向（前後方向）に移動可能である。
【００９４】
ボタン機構５１は、ボタン部５２と、軸部５３と、固定部５４と、ばね５５と、ガイド部５６と、ガイド部５７とを有する。ボタン部５２は、軸部５３、固定部５４、ばね５５、ガイド部５６、及びガイド部５７よりも前方に配置される。
【００９５】
ボタン部５２は、箱状である。ボタン部５２は、筒部５２ａと、前面部５２ｂと、後面部５２ｃとを有する。筒部５２ａの断面の外形は矩形状である。前面部５２ｂは、筒部５２ａの前端部の開口を塞ぐように配置される。後面部５２ｃは、筒部５２ａの後端部の開口を塞ぐように配置される。前面部５２ｂと後面部５２ｃとは対向する。
【００９６】
軸部５３は、ボタン部５２に接続される。軸部５３の前端部は、ボタン部５２の内部に配置される。軸部５３の後端部は、後面部５２ｃから突出する。
【００９７】
固定部５４は、軸部５３の後端部に固定される。固定部５４は、六角ナットを含む。固定部５４は、軸部５３よりも大径である。
【００９８】
ばね５５は、ボタン部５２を前方に移動させる弾性力を発生する。ばね５５は、軸部５３の周囲に配置される。
【００９９】
ガイド部５６及びガイド部５７は、ボタン部５２をガイドする。ガイド部５６及びガイド部５７のそれぞれは、ボタン部５２の後面部５２ｃから後方に突出する。回転軸ＲＸの周方向において、ガイド部５６は、軸部５３の一方側に配置され、ガイド部５７は、軸部５３の他方側に配置される。
【０１００】
図６、図１７、及び図１８に示すように、支持部６１は、前ハウジング１４の枠部１４１の下部に設けられる。支持部６１は、枠部１４１から後方に突出する。支持部６１は、筒部６１ｅと、壁部６１ａとを有する。支持部６１は、ボタン機構５１の少なくとも一部が配置される内部空間を有する。筒部６１ｅは、内部空間を囲むように配置される。壁部６１ａは、筒部６１ｅの後端部の開口を塞ぐように配置される。筒部６１ｅの前端部に開口が設けられる。ボタン機構５１は、筒部６１ｅの前端部の開口から内部空間に挿入される。
【０１０１】
支持部６１の壁部６１ａの後面は、筒部４３の前壁部４３ｂと対向する。図１７に示すように、壁部６１ａに、挿通孔６１ｂ、ガイド孔６１ｃ、及びガイド孔６１ｄが設けられる。回転軸ＲＸの周方向において、ガイド孔６１ｃは、挿通孔６１ｂの一方側に設けられ、ガイド孔６１ｄは、挿通孔６１ｂの他方側に設けられる。
【０１０２】
軸部５３は、挿通孔６１ｂに配置される。ガイド部５６は、ガイド孔６１ｃに配置される。ガイド部５７は、ガイド孔６１ｄに配置される。軸部５３の後端部及び固定部５４は、挿通孔６１ｂよりも後方に配置される。ガイド部５６の後端部は、ガイド孔６１ｃよりも後方に配置される。ガイド部５７の後端部は、ガイド孔６１ｄよりも後方に配置される。すなわち、軸部５３の後端部、固定部５４、ガイド部５６の後端部、及びガイド部５７の後端部は、壁部６１ａよりも後方に配置される。
【０１０３】
軸部５３の前端部は、挿通孔６１ｂよりも前方に配置される。ガイド部５６の前端部は、ガイド孔６１ｃよりも前方に配置される。ガイド部５７の前端部は、ガイド孔６１ｄよりも前方に配置される。すなわち、軸部５３の前端部、ガイド部５６の前端部、及びガイド部５７の前端部は、壁部６１ａよりも前方に配置される。壁部６１ａよりも前方の空間は、支持部６１の内部空間を含む。ボタン部５２の少なくとも一部は、支持部６１の内部空間に配置される。支持部６１（筒部６１ｅ）の開口は、内部空間の前端部に設けられる。ボタン部５２の前面部５２ｂは、支持部６１の開口よりも前方に配置される。
【０１０４】
ばね５５は、支持部６１の内部空間において、軸部５３の周囲に配置される。ばね５５の前端部は、ボタン部５２の後面部５２ｃに支持される。ばね５５の後端部は、壁部６１ａの前面に接触する。
【０１０５】
使用者は、ボタン部５２を後方に押すことができる。すなわち、使用者は、ボタン部５２を後ハウジング１５に向かって押すことができる。ボタン部５２が後方に押されると、軸部５３が挿通孔６１ｂの内側において後方に移動し、ガイド部５６がガイド孔６１ｃにガイドされながら後方に移動し、ガイド部５７がガイド孔６１ｄにガイドされながら後方に移動する。ガイド部５６及びガイド部５７により、ボタン部５２及び軸部５３がガイドされる。
【０１０６】
ボタン部５２が押されると、ばね５５の後端部は、壁部６１ａの前面に接触する。ばね５５は、ボタン部５２を前方に移動させる弾性力を発生する。使用者がボタン部５２の操作をやめると、ばね５５の弾性力により、軸部５３が挿通孔６１ｂの内側において前方に移動し、ガイド部５６がガイド孔６１ｃの内側において前方に移動し、ガイド部５７がガイド孔６１ｄの内側において前方に移動する。
【０１０７】
本実施形態において、固定部５４の外径は、軸部５３の外径よりも大きい。すなわち、固定部５４は、軸部５３よりも大径である。
【０１０８】
図１４に示すように、軸部５３の外径とは、軸部５３の直径Ｌ４をいう。固定部５４の外径は、固定部５４の対角距離Ｌ５及び二面幅Ｌ６の少なくとも一方を含む。
【０１０９】
図１３及び図１４に示すように、回転軸ＲＸの放射方向における長孔部４４ａの寸法を示す幅Ｌ１は、軸部５３の直径Ｌ４よりも大きく、固定部５４の対角距離Ｌ５及び二面幅Ｌ６よりも小さい。軸部５３は、長孔部４４ａに配置可能であり、固定部５４は、長孔部４４ａに配置不可能である。軸部５３は、回転軸ＲＸの周方向及び回転軸ＲＸと平行な方向のそれぞれにおいて長孔部４４ａを移動することができる。固定部５４は、回転軸ＲＸの周方向及び回転軸ＲＸと平行な方向のそれぞれにおいて長孔部４４ａを移動することができない。
【０１１０】
円孔部４４ｂの直径Ｌ２及び円孔部４４ｃの直径Ｌ３は、長孔部４４ａの幅Ｌ１よりも大きい。円孔部４４ｂの直径Ｌ２及び円孔部４４ｃの直径Ｌ３は、固定部５４の対角距離Ｌ５及び二面幅Ｌ６よりも大きい。これにより、軸部５３及び固定部５４のそれぞれは、円孔部４４ｂ及び円孔部４４ｃに配置可能である。軸部５３は、回転軸ＲＸと平行な方向において円孔部４４ｂ及び円孔部４４ｃを移動することができる。軸部５３は、回転軸ＲＸの周方向において、長孔部４４ａ及び円孔部４４ｂの一方から他方に移動可能であり、長孔部４４ａ及び円孔部４４ｃの一方から他方に移動可能である。固定部５４は、回転軸ＲＸと平行な方向において円孔部４４ｂ及び円孔部４４ｃのそれぞれを移動することができる。
【０１１１】
ボタン部５２が操作されていない状態においては、固定部５４は、ロック孔部４４の円孔部４４ｂ及び円孔部４４ｃの少なくとも一方に配置される。固定部５４が円孔部４４ｂに配置されることにより、固定部５４の外面と円孔部４４ｂの内面とが接触し、回転軸ＲＸの周方向におけるボタン機構５１とロック孔部４４との相対移動が規制される。同様に、固定部５４が円孔部４４ｃに配置されることにより、固定部５４の外面と円孔部４４ｃの内面とが接触し、回転軸ＲＸの周方向におけるボタン機構５１とロック孔部４４との相対移動が規制される。回転軸ＲＸの周方向におけるボタン機構５１とロック孔部４４との相対移動が規制されることにより、回転軸ＲＸの周方向における前ハウジング１４と後ハウジング１５との相対移動が規制される。
【０１１２】
ボタン部５２が押されると、固定部５４が後方に移動し、軸部５３がロック孔部４４に配置される。これにより、軸部５３は、回転軸ＲＸの周方向において、長孔部４４ａ及び円孔部４４ｂの一方から他方に移動可能であり、長孔部４４ａ及び円孔部４４ｃの一方から他方に移動可能である。ボタン部５２が押され、固定部５４がロック孔部４４に配置されている状態から軸部５３がロック孔部４４に配置される状態に変化することにより、回転軸ＲＸの周方向においてボタン機構５１とロック孔部４４とは相対移動可能な状態になる。回転軸ＲＸの周方向においてボタン機構５１とロック孔部４４とが相対移動可能な状態になることにより、前ハウジング１４と後ハウジング１５とは、回転軸ＲＸの周方向において相対移動可能な状態になる。
【０１１３】
例えば、前フック部１４３と後フック部１５３とが結合され、固定部５４が円孔部４４ｂに配置されている状態において、ボタン部５２が押されると、固定部５４が円孔部４４ｂに配置されている状態から軸部５３が円孔部４４ｂに配置される状態に変化する。使用者は、ボタン部５２を押した状態で、前フック部１４３と後フック部１５３との結合が解除されるように、回転軸ＲＸの周方向に前ハウジング１４を回転させる。回転軸ＲＸの周方向に前ハウジング１４が回転することにより、ボタン機構５１は、回転軸ＲＸを中心に旋回する。ボタン機構５１の旋回により、軸部５３は、円孔部４４ｂに配置されている状態から円孔部４４ｃに配置される状態に変化するように、長孔部４４ａを通過する。軸部５３が円孔部４４ｃに配置された状態において、前フック部１４３と後フック部１５３との結合は解除される。使用者は、前フック部１４３と後フック部１５３との結合が解除され、軸部５３が円孔部４４ｃに配置された状態において、前ハウジング１４を前方に移動させることにより、後ハウジング１５から前ハウジング１４を外すことができる。軸部５３が円孔部４４ｃに配置されているので、前ハウジング１４が前方に移動することにより、固定部５４は、円孔部４４ｃを通過することができる。そのため、使用者は、後ハウジング１５から前ハウジング１４を外すことができる。
【０１１４】
このように、本実施形態においては、固定部５４が円孔部４４ｂに配置された状態で、前フック部１４３と後フック部１５３とが結合され、回転軸ＲＸの周方向における前ハウジング１４と後ハウジング１５との相対移動が規制される。これにより、前ハウジング１４と後ハウジング１５とが固定される。軸部５３がロック孔部４４に配置された状態で、回転軸ＲＸの周方向において前ハウジング１４と後ハウジング１５とが相対移動可能な状態になり、前ハウジング１４と後ハウジング１５との固定が解除される。
【０１１５】
＜ロック機構の操作方法＞
前ハウジング１４を後ハウジング１５に固定する方法について説明する。使用者は、マーク部１４４及びマーク部１５４を用いて回転軸ＲＸの周方向における前ハウジング１４と後ハウジング１５との位置合わせを行う。前ハウジング１４と後ハウジング１５とが位置合わせされた状態において、固定部５４が円孔部４４ｃに挿入される。ボタン部５２が押されることにより、軸部５３が円孔部４４ｃに配置される。使用者は、ボタン部５２を押した状態で、前フック部１４３と後フック部１５３とが結合されるように、回転軸ＲＸの周方向の一方に前ハウジング１４を回転させる。回転軸ＲＸの周方向に前ハウジング１４が回転することにより、ボタン機構５１は、回転軸ＲＸを中心に旋回する。ボタン機構５１の旋回により、軸部５３は、円孔部４４ｃに配置されている状態から円孔部４４ｂに配置される状態に変化するように、長孔部４４ａを通過する。軸部５３が円孔部４４ｂに配置された状態において、前フック部１４３と後フック部１５３とが結合される。使用者は、前フック部１４３と後フック部１５３とが結合され、軸部５３が円孔部４４ｂに配置された状態において、ボタン部５２の操作をやめる。これにより、ばね５５の弾性力により、軸部５３が円孔部４４ｂに配置されている状態から固定部５４が円孔部４４ｂに配置される状態に変化する。固定部５４が円孔部４４ｂに配置されることにより、回転軸ＲＸの周方向におけるボタン機構５１とロック孔部４４との相対移動が規制される。これにより、回転軸ＲＸを中心とする回転方向における前ハウジング１４と後ハウジング１５との相対移動が規制され、前ハウジング１４と後ハウジング１５とが固定される。
【０１１６】
次に、前ハウジング１４を後ハウジング１５から外す方法について説明する。前ハウジング１４と後ハウジング１５とが固定されている状態で、ボタン部５２が押されると、固定部５４が円孔部４４ｂに配置されている状態から軸部５３が円孔部４４ｂに配置される状態に変化する。使用者は、ボタン部５２を押した状態で、前フック部１４３と後フック部１５３との結合が解除されるように、回転軸ＲＸの周方向の他方向に前ハウジング１４を回転させる。回転軸ＲＸの周方向に前ハウジング１４が回転することにより、ボタン機構５１は、回転軸ＲＸを中心に旋回する。ボタン機構５１の旋回により、軸部５３は、円孔部４４ｂに配置されている状態から円孔部４４ｃに配置される状態に変化するように、長孔部４４ａを通過する。軸部５３が円孔部４４ｃに配置された状態において、前フック部１４３と後フック部１５３との結合は解除される。使用者は、前フック部１４３と後フック部１５３との結合が解除され、軸部５３が円孔部４４ｃに配置された状態において、前ハウジング１４を前方に移動させることにより、後ハウジング１５から前ハウジング１４を外すことができる。軸部５３が円孔部４４ｃに配置されているので、前ハウジング１４が前方に移動することにより、固定部５４は、円孔部４４ｃを通過することができる。そのため、使用者は、後ハウジング１５から前ハウジング１４を外すことができる。
【０１１７】
＜制御基板＞
バッテリ式扇風機１は、バッテリ式扇風機１を制御する制御基板２６を備える。図１２に示すように、制御基板２６は、第２収容部２２の内部空間に配置される。本実施形態において、制御基板２６は、操作装置２４よりも下方に配置される。制御基板２６は、制御回路２６１を含む。
【０１１８】
図１９は、本実施形態に係るバッテリ式扇風機１を示すブロック図である。制御回路２６１は、ＣＰＵ（Central  Processing  Unit）のようなプロセッサと、ＲＯＭ（Read  Only  Memory）のような不揮発性メモリ及びＲＡＭ（Random  Access  Memory）のような揮発性メモリを含むメインメモリと、入出力回路を含むインターフェースとを備える。制御回路２６１は、バッテリ式扇風機１の動作を制御する。制御回路２６１は、操作装置２４が操作されることにより操作装置２４から出力された操作信号に基づいて、バッテリ式扇風機１を制御する制御信号を出力する。制御回路２６１は、バッテリ式扇風機１に電力を供給する電源回路を含む。
【０１１９】
＜効果＞
以上説明したように、本実施形態によれば、首振装置３０により本体ハウジング１３の左右方向の角度が調整される。ファン１２が回転している状態で本体ハウジング１３の左右方向の角度が調整されることにより、バッテリ式扇風機１は、広範囲に送風することができる。
【０１２０】
本実施形態においては、首振装置３０とバッテリ装着部２３０とは、台座部２０において左右方向に配置される。左右方向において、首振装置３０は、横首振軸ＡＸ１の一方側（左側）に配置され、バッテリ装着部２３０及び電動工具用バッテリ１００は、横首振軸ＡＸ１の他方側（右側）に配置される。これにより、バッテリ式扇風機１の大型化が抑制される。特に、前後方向におけるバッテリ式扇風機１の寸法（厚さ）が小さくなる。バッテリ式扇風機１の厚さが薄くなるので、バッテリ式扇風機１は、作業現場の狭い場所で円滑に使用される。バッテリ式扇風機１の厚さが薄くなるので、使用前後においてバッテリ式扇風機１を車両に搭載した状態で運搬する場合、バッテリ式扇風機１は、車両に円滑に搭載される。
【０１２１】
例えば首振装置３０又はバッテリ装着部２３０が軸部１８２の下方に配置される場合、バッテリ式扇風機１の上下方向の寸法が大きくなる。例えば首振装置３０又はバッテリ装着部２３０が本体部１０の前方又は後方に配置される場合、バッテリ式扇風機１の前後方向の寸法又は左右方向の寸法が大きくなる。また、首振装置３０又はバッテリ装着部２３０が本体部１０の前方又は後方に配置される場合、ファン１２の周囲において空気が円滑に流通することが困難となる。
【０１２２】
本実施形態においては、首振装置３０とバッテリ装着部２３０とは、台座部２０において左右方向に配置される。これにより、バッテリ式扇風機１の大型化が抑制される。また、ファン１２の周囲において空気は円滑に流れる。
【０１２３】
首振モータ３１及びバッテリ装着部２３０は、台座部２０に配置される。首振モータ３１は、左右方向において軸部１８２の一方側に配置され、バッテリ装着部２３０及び電動工具用バッテリ１００は、左右方向において軸部１８２の他方側に配置される。これにより、台座部２０の重量バランスが改善される。また、首振モータ３１とバッテリ装着部２３０との距離が短いので、電動工具用バッテリ１００から首振モータ３１に電力を供給するためのケーブルを短くすることができる。そのため、電力ロスが低減される。
【０１２４】
台座部２０に操作装置２４が設けられる。操作装置２４は、左右方向において横首振軸ＡＸ１の他方側に配置される。操作装置２４とバッテリ装着部２３０との距離が短いので、電動工具用バッテリ１００から操作装置２４に電力を供給するためのケーブルを短くすることができる。そのため、電力ロスが低減される。また、操作装置２４が台座部２０の前面２０１に配置されることにより、使用者は、操作装置２４を円滑に操作することができる。
【０１２５】
首振モータ３１、操作装置２４、及び制御基板２６は、第２収容部２２に設けられる。そのため、操作装置２４と制御基板２６とを接続するケーブルを短くすることができ、制御基板２６と首振モータ３１とを接続するケーブルを短くすることができる。
【０１２６】
台座部２０の第３収容部２３の前面２０１に第１開口２３１が設けられる。これにより、使用者は、第１開口２３１を介して、第３収容部２３の内部空間に電動工具用バッテリ１００を円滑に挿入したり、第３収容部２３の内部空間から電動工具用バッテリ１００を円滑に抜去したりすることができる。
【０１２７】
台座部２０の第３収容部２３の後面２０２に第２開口２３２が設けられる。電動工具用バッテリ１００がバッテリ装着部２３０に装着された状態で、電動工具用バッテリ１００の解除ボタン１０２は、第１開口２３１に面する。これにより、使用者は、例えば第３収容部２３の内部空間から電動工具用バッテリ１００を抜去するとき、第１開口２３１を介して解除ボタン１０２を操作しながら、電動工具用バッテリ１００が第１開口２３１から出るように、第２開口２３２を介して電動工具用バッテリ１００を押すことができる。そのため、使用者は、第３収容部２３の内部空間から電動工具用バッテリ１００を円滑に抜去することができる。
【０１２８】
電動工具用バッテリ１００は、表示装置１０４を有する。電動工具用バッテリ１００がバッテリ装着部２３０に装着された状態で、表示装置１０４は、第２開口２３２に面する。これにより、使用者は、第２開口２３２を介して表示装置１０４を円滑に見ることができる。また、電動工具用バッテリ１００は、操作ボタン１０３を有する。電動工具用バッテリ１００がバッテリ装着部２３０に装着された状態で、操作ボタン１０３は、第２開口２３２に面する。これにより、使用者は、第２開口２３２を介して操作ボタン１０３を円滑に操作することができる。
【０１２９】
バッテリ装着部２３０は、第３収容部２３の内部空間の上壁面２３ａに設けられる。すなわち、バッテリ装着部２３０は、下方を向く。これにより、バッテリ装着部２３０に異物が付着することが抑制される。
【０１３０】
前ハウジング１４と後ハウジング１５とを解放可能に固定するロック機構４０が設けられる。ロック機構４０により、前ハウジング１４と後ハウジング１５とが固定される。また、必要に応じて、後ハウジング１５から前ハウジング１４を簡単に外すことができる。
【０１３１】
縦首振軸ＡＸ２を中心に本体ハウジング１３を回動可能に支持する支持枠１８が設けられる。首振装置３０は、支持枠１８を回動することにより、横首振軸ＡＸ１を中心に本体ハウジング１３を回動させる。ロック機構４０は、基部１８１よりも上方に配置される。これにより、使用者は、ロック機構４０を円滑に操作することができる。
【０１３２】
ロック機構４０は、前ハウジング１４及び後ハウジング１５の一方に設けられるロック孔部４４と、前ハウジング１４及び後ハウジング１５の他方に設けられるボタン機構５１とを含む。ロック孔部４４は、長孔部４４ａと、回転軸ＲＸの周方向において長孔部４４ａに隣接し長孔部４４ａの幅Ｌ１よりも大きい直径を有する円孔部４４ｂ及び円孔部４４ｃとを含む。ボタン機構５１は、軸部５３と、軸部５３よりも大径の固定部５４とを含む。これにより、固定部５４が円孔部４４ｂ又は円孔部４４ｃに配置された状態で、前ハウジング１４と後ハウジング１５とが固定される。軸部５３がロック孔部４４に配置された状態で、前ハウジング１４と後ハウジング１５との固定が解除される。使用者は、ボタン機構５１のボタン部５２を操作するだけで、前ハウジング１４と後ハウジング１５との固定及び固定解除を簡単に行うことができる。
【０１３３】
前ハウジング１４の前フック部１４３と後ハウジング１５の後フック部１５３とが結合されることにより、前ハウジング１４と後ハウジング１５とが連結される。ロック孔部４４の円孔部４４ｂにボタン機構５１の固定部５４が配置されることにより、前ハウジング１４と後ハウジング１５との相対移動が規制される。本実施形態においては、ボタン部５２が押されないと、前ハウジング１４は後ハウジング１５から外れない。本実施形態によれば、前ハウジング１４が後ハウジング１５から不意に外れてしまうことが抑制される。
【０１３４】
なお、本実施形態においては、後ハウジング１５にアタッチメント部材４１が固定され、前ハウジング１４にボタン機構５１が支持されることとした。後ハウジング１５にボタン機構５１が支持され、前ハウジング１４にアタッチメント部材４１が固定されてもよい。
【０１３５】
［第２実施形態］
第２実施形態について説明する。以下の説明において、上述の実施形態と同一又は同等の構成要素については同一の符号を付し、その説明を簡略又は省略する。
【０１３６】
図２０は、本実施形態に係るバッテリ式扇風機１Ａを示す正面図である。図２１は、本実施形態に係るロック機構４０Ａを示す拡大図である。図２２は、本実施形態に係る前ハウジング１４を示す斜視図である。図２３は、本実施形態に係る雄ねじ部５４Ａを示す拡大図である。図２４は、本実施形態に係る後ハウジング１５を示す斜視図である。図２５は、本実施形態に係るアタッチメント部材４１Ａを示す拡大図である。
【０１３７】
バッテリ式扇風機１Ａは、前ハウジング１４と後ハウジング１５とを解放可能に固定するロック機構４０Ａを備える。ロック機構４０Ａは、雌ねじ孔部４４Ａを有するアタッチメント部材４１Ａと、雄ねじ部５４Ａを有するねじ５１Ａとを含む。アタッチメント部材４１Ａは、後ハウジング１５に接続される。ねじ５１Ａは、前ハウジング１４に支持される。
【０１３８】
図２４及び図２５に示すように、アタッチメント部材４１Ａは、後ハウジング１５に着脱可能である。アタッチメント部材４１Ａは、ねじ４５及びねじ４６により後ハウジング１５に固定される。ねじ４５及びねじ４６による固定が解除されることにより、アタッチメント部材４１Ａは、後ハウジング１５から外される。
【０１３９】
アタッチメント部材４１Ａは、平板状の基部４２Ａと、基部４２Ａから前方に突出する円筒部４３Ａと、円筒部４３Ａに設けられた雌ねじ孔部４４Ａとを有する。ねじ４５及びねじ４６は、基部４２Ａを後ハウジング１５の枠部１５１に固定する。
【０１４０】
ねじ５１Ａは、前ハウジング１４に着脱可能である。図２１、図２２、及び図２３に示すように、前ハウジング１４にねじ５１Ａを支持する支持部６１Ａが設けられる。支持部６１Ａは、前ハウジング１４の枠部１４１から後方に突出する。支持部６１Ａは、筒部６１Ａｅと、筒部６１Ａｅの後端部の開口を塞ぐように配置される壁部６１Ａａとを有する。壁部６１Ａａに、ねじ５１Ａが配置される挿通孔６１Ａｂが設けられる。支持部６１Ａは、ねじ５１Ａが配置される内部空間と、内部空間の前端部に設けられねじ５１Ａが挿入される開口とを有する。筒部６１Ａｅは、内部空間を囲むように配置される。
【０１４１】
前フック部１４３と後フック部１５３とが結合された状態で、雌ねじ孔部４４Ａとねじ５１Ａの雄ねじ部５４Ａとが結合されることにより、前ハウジング１４と後ハウジング１５とが固定される。雄ねじ部５４Ａと雌ねじ孔部４４Ａとの結合が解除されることにより、前ハウジング１４と後ハウジング１５とは、回転軸ＡＸの周方向に相対移動可能な状態となり、前ハウジング１４と後ハウジング１５との固定が解除される。
【０１４２】
以上説明したように、本実施形態によれば、ロック機構４０Ａは、後ハウジング１５に配置される雌ねじ孔部４４Ａと、前ハウジング１４に配置され雄ねじ部５４Ａを有するねじ５１Ａとを含む。雄ねじ部５４Ａと雌ねじ孔部４４Ａとが結合された状態で、前ハウジング１４と後ハウジング１５とが固定される。雄ねじ部５４Ａと雌ねじ孔部４４Ａとの結合が解除された状態で、前ハウジング１４と後ハウジング１５との固定が解除される。
【０１４３】
雌ねじ孔部４４Ａは、後ハウジング１５に着脱可能なアタッチメント部材４１Ａに設けられる。例えばバッテリ式扇風機１Ａが使用される国又は地域により、使用可能なロック機構の仕様が定められている場合、使用者は、上述の実施形態で説明したアタッチメント部材４１及び本実施形態に係るアタッチメント部材４１Ａから、仕様に適したアタッチメント部材を選択し、本体ハウジング１３に接続することができる。
【０１４４】
なお、本実施形態においては、後ハウジング１５にアタッチメント部材４１Ａが配置され、前ハウジング１４にねじ５１Ａが配置されることとした。後ハウジング１５にねじ５１Ａが配置され、前ハウジング１４にアタッチメント部材４１Ａが配置されてもよい。
【０１４５】
［第３実施形態］
第３実施形態について説明する。以下の説明において、上述の実施形態と同一又は同等の構成要素については同一の符号を付し、その説明を簡略又は省略する。
【０１４６】
図２６は、本実施形態に係るバッテリ式扇風機１Ｂを示す正面図である。図２７は、本実施形態に係るバッテリ式扇風機１Ｂを示す背面図である。図２８は、本実施形態に係るバッテリ式扇風機１Ｂを示す側面図である。図２９は、本実施形態に係るバッテリ式扇風機１Ｂを示す斜視図である。
【０１４７】
バッテリ式扇風機１Ｂは、前ハウジング１４と後ハウジング１５とを解放可能に固定するロック機構４０Ｂを備える。ロック機構４０Ｂの構造は、上述の実施形態で説明したロック機構４０と同様の構造である。
【０１４８】
本実施形態において、ボタン機構５１を支持する支持部６１は、後ハウジング１５に設けられる。ボタン機構５１は、後ハウジング１５の支持部６１に支持され、アタッチメント部材４１は、前ハウジング１４に接続される。
【０１４９】
ロック機構４０Ｂは、基部１８１よりも上方に配置される。ロック機構４０Ｂは、回転軸ＲＸの周方向において基部１８１とハンドル１７の突出部１７１との間に配置される。
【０１５０】
図２７に示すように、横首振軸ＡＸ１と平行な方向において、ロック機構４０Ｂの少なくとも一部の位置と縦首振軸ＡＸ２の位置とは一致する。横首振軸ＡＸ１と平行な方向において、ボタン機構５１の少なくとも一部の位置と回転軸ＲＸの位置とは一致する。また、横首振軸ＡＸ１と平行な方向において、ボタン機構５１の少なくとも一部の位置と縦首振軸ＡＸ２の位置とは一致する。ボタン部５２は、支持枠１８に連結される凸部１３１に隣接する。
【０１５１】
ボタン機構５１は、後ハウジング１５に配置される。図２９に示すように、前ハウジング１４は、回転軸ＲＸの放射方向に突出する凸部１４Ｔを有する。凸部１４Ｔは、ボタン機構５１よりも上方に配置される。凸部１４Ｔは、回転軸ＲＸの周方向においてボタン機構５１とハンドル１７との間に配置される。凸部１４Ｔは、回転軸ＲＸの周方向においてボタン機構５１の少なくとも一部と一致する位置に配置されてもよい。
【０１５２】
本実施形態において、凸部１４Ｔは、前ハウジング１４の外面から回転軸ＲＸの放射方向及び回転軸ＲＸと平行な方向の両方に突出する。本実施形態において、凸部１４Ｔは、回転軸ＲＸの周方向に複数設けられる。
【０１５３】
例えば前ハウジング１４を後ハウジング１５から外す場合、使用者は、バッテリ式扇風機１Ｂの前方から本体ハウジング１３を掴む。使用者は、右手の人差指又は中指を使って、ボタン機構５１を操作することができる。使用者は、右手の人差指又は中指でボタン部５２を押しながら、例えば親指を凸部１４Ｔに引っ掛けて、前フック部１４３と後フック部１５３との結合が解除されるように、回転軸ＲＸの周方向に前ハウジング１４を回転させる。これにより、使用者は、前ハウジング１４を後ハウジング１５から外すことができる。
【０１５４】
以上説明したように、本実施形態によれば、ボタン機構５１のボタン部５２が、回転軸ＲＸの周方向において基部１８１とハンドル１７との間に配置される。そのため、使用者は、台座部２０が設置面に設置された状態で、本体ハウジング１３を掴みながらボタン機構５１を操作することができる。これにより、使用者は、前ハウジング１４を後ハウジング１５から簡単に外すことができる。
【０１５５】
横首振軸ＡＸ１と平行な方向において、ボタン部５２の少なくとも一部の位置と縦首振軸ＡＸ２の位置とは一致する。そのため、使用者がボタン部５２を押したとき、本体ハウジング１３が縦首振軸ＡＸ２を中心に回転してしまうことが抑制される。したがって、使用者は、前ハウジング１４と後ハウジング１５との固定の解除を円滑に行うことができる。
【０１５６】
ボタン部５２が後ハウジング１５に配置され、前ハウジング１４に凸部１４Ｔが設けられる。これにより、図２９を参照して説明したように、使用者は、任意の指でボタン部５２を押しながら、他の指を凸部１４Ｔに引っ掛けて、前ハウジング１４を簡単に回転させることができる。したがって、前ハウジング１４を後ハウジング１５から外すときの作業性が向上する。
【０１５７】
なお、本実施形態においては、後ハウジング１５にボタン機構５１が配置され、前ハウジング１４にアタッチメント部材４１が配置されることとした。後ハウジング１５にアタッチメント部材４１が配置され、前ハウジング１４にボタン機構５１が配置されてもよい。
【０１５８】
［第４実施形態］
第４実施形態について説明する。以下の説明において、上述の実施形態と同一又は同等の構成要素については同一の符号を付し、その説明を簡略又は省略する。
【０１５９】
図３０は、本実施形態に係るバッテリ式扇風機１Ｃの一部を示す背面図である。図３１及び図３２のそれぞれは、本実施形態に係るロック機構４０Ｃを示す断面図である。
【０１６０】
本実施形態に係るロック機構４０Ｃは、上述の第２実施形態で説明したロック機構４０Ａの変形例である。図３０に示すように、ロック機構４０Ｃは、回転軸ＲＸの周方向において基部１８１とハンドル１７との間に配置される。横首振軸ＡＸ１と平行な方向において、ロック機構４０Ｃの少なくとも一部の位置と縦首振軸ＡＸ２の位置とは一致する。
【０１６１】
図３１は、ロック機構４０Ｃにより前ハウジング１４と後ハウジング１５とが固定されている状態を示す。図３２は、ロック機構４０Ｃによる前ハウジング１４と後ハウジング１５との固定が解除されている状態を示す。ロック機構４０Ｃは、前ハウジング１４に配置される雌ねじ孔部４４Ｃと、後ハウジング１５に配置され雄ねじ部５４Ｃを有するねじ５１Ｃとを有する。雄ねじ部５４Ｃと雌ねじ孔部４４Ｃとが結合された状態で、前ハウジング１４と後ハウジング１５とが固定される。雄ねじ部５４Ｃと雌ねじ孔部４４Ｃとの結合が解除された状態で、前ハウジング１４と後ハウジング１５との固定が解除される。
【０１６２】
ねじ５１Ｃは、頭部５２Ｃと、胴部５３Ｃと、雄ねじ部５４Ｃとを有する。雄ねじ部５４Ｃは、ねじ山を有する。胴部５３Ｃは、ねじ５１Ｃの軸方向において頭部５２Ｃと雄ねじ部５４Ｃとの間に配置される。胴部５３Ｃにねじ山は設けられない。
【０１６３】
雄ねじ部５４Ｃの外径は、胴部５３Ｃの外径よりも大きい。頭部５２Ｃの外径は、雄ねじ部５４Ｃの外径よりも大きくてもよいし小さくてもよい。
【０１６４】
ねじ５１Ｃが配置される後ハウジング１５は、頭部５２Ｃが配置される第１空間Ｓ１と、区画壁１５Ｆにより第１空間Ｓ１と区画され雄ねじ部５４Ｃが配置される第２空間Ｓ２とを有する。第１空間Ｓ１は、後ハウジング１５の枠部１５１に設けられた孔を含む。第１空間Ｓ１の開口１５Ｈｒは、後ハウジング１５の後方の空間に面する。第２空間Ｓ２は、後ハウジング１５の枠部１５１に設けられた孔を含む。第２空間Ｓ２の開口１５Ｈｆは、後ハウジング１５の前方の空間に面する。前ハウジング１４の後端部と後ハウジング１５の前端部とが接触した状態で、第２空間Ｓ２は、雌ねじ孔部４４Ｃに接続される。
【０１６５】
区画壁１５Ｆは、胴部５３Ｃが配置される貫通孔１５Ｇを有する。貫通孔１５Ｇにより、第１空間Ｓ１と第２空間Ｓ２とが接続される。貫通孔１５Ｇの内径は、胴部５３Ｃの外径よりも大きい。胴部５３Ｃは、貫通孔１５Ｇを移動可能である。貫通孔１５Ｇの内径は、頭部５２Ｃの外径よりも小さい。貫通孔１５Ｇの内径は、雄ねじ部５４Ｃの外径よりも小さい。頭部５２Ｃは、貫通孔１５Ｇを通過することができない。
【０１６６】
ロック機構４０Ｃは、第２空間Ｓ２において胴部５３Ｃの周囲に配置されるワッシャ５８を有する。ワッシャ５８の外径は、貫通孔１５Ｇの内径よりも大きい。ワッシャ５８は、貫通孔１５Ｇを通過することができない。ワッシャ５８の内径は、雄ねじ部５４Ｃの外径よりも小さい。ワッシャ５８は、雄ねじ部５４Ｃから抜けることができない。ワッシャ５８は、第２空間Ｓ２において区画壁１５Ｆと雄ねじ部５４Ｃとの間に配置され続ける。
【０１６７】
ロック機構４０Ｃは、第１空間Ｓ１において頭部５２Ｃと区画壁１５Ｆとの間に配置され雄ねじ部５４Ｃが雌ねじ孔部４４Ｃから退去する方向に弾性力を発生するばね５５Ｃを有する。ばね５５Ｃの一端部は、頭部５２Ｃに接触し、ばね５５Ｃの他端部は、区画壁１５Ｆに接触する。
【０１６８】
雌ねじ孔部４４Ｃは、ねじ５１Ｃの先端面に対向する底面４４Ｔを有する。ねじ５１Ｃの先端面とは、雄ねじ部５４Ｃの先端面をいう。雄ねじ部５４Ｃを雌ねじ孔部４４Ｃにねじ込んだとき、雄ねじ部５４Ｃの先端面と底面４４Ｔとが接触する。
【０１６９】
次に、本実施形態に係るロック機構４０Ｃの操作方法について説明する。前ハウジング１４と後ハウジング１５とを固定するとき、使用者は、雄ねじ部５４Ｃを雌ねじ孔部４４Ｃに挿入して、工具を用いて雄ねじ部５４Ｃを雌ねじ孔部４４Ｃにねじ込む。これにより、図３１に示すように、雄ねじ部５４Ｃと雌ねじ孔部４４Ｃとが結合され、前ハウジング１４と後ハウジング１５とが固定される。
【０１７０】
本実施形態においては、雌ねじ孔部４４Ｃに底面４４Ｔが設けられる。雄ねじ部５４Ｃが雌ねじ孔部４４Ｃにねじ込まれると、雄ねじ部５４Ｃの先端面はやがて底面４４Ｔに接触する。これにより、雄ねじ部５４Ｃが雌ねじ孔部４４Ｃに過度にねじ込まれることが抑制される。雄ねじ部５４Ｃが雌ねじ孔部４４Ｃに過度にねじ込まれることが抑制されることにより、頭部５２Ｃと区画壁１５Ｆとの距離が過度に短くなることが抑制される。したがって、ばね５５Ｃが頭部５２Ｃに押し潰されてしまうことが抑制される。
【０１７１】
前ハウジング１４と後ハウジング１５との固定を解除するとき、使用者は、雄ねじ部５４Ｃが雌ねじ孔部４４Ｃから退去するように、工具を用いてねじ５１Ｃを回転させる。これにより、図３２に示すように、雄ねじ部５４Ｃが雌ねじ孔部４４Ｃから退去する。本実施形態においては、雄ねじ部５４Ｃが雌ねじ孔部４４Ｃから退去する方向に弾性力を発生するばね５５Ｃが設けられる。したがって、使用者は、雌ねじ孔部４４Ｃから雄ねじ部５４Ｃを簡単に退去させることができる。
【０１７２】
本実施形態においては、第２空間Ｓ２において胴部５３Ｃの周囲にワッシャ５８が配置される。ワッシャ５８は、貫通孔１５Ｇを通過することができない。また、ワッシャ５８は、雄ねじ部５４Ｃの先端部から抜けることができない。そのため、図３２に示すように、雌ねじ孔部４４Ｃから雄ねじ部５４Ｃが退去しても、雄ねじ部５４Ｃは、区画壁１５Ｆの貫通孔１５Ｇから抜けない。これにより、前ハウジング１４と後ハウジング１５との固定が解除されても、雄ねじ部５４Ｃが後ハウジング１５から脱落することが抑制される。そのため、例えば雄ねじ部５４Ｃの紛失が抑制される。
【０１７３】
なお、本実施形態においては、後ハウジング１５にねじ５１Ｃが配置され、前ハウジング１４に雌ねじ孔部４４Ｃが配置されることとした。後ハウジング１５に雌ねじ孔部４４Ｃが配置され、前ハウジング１４にねじ５１Ｃが配置されてもよい。
【０１７４】
［その他の実施形態］
上述の実施形態においては、首振装置３０が横首振軸ＡＸ１の左方に配置され、バッテリ装着部２３０が横首振軸ＡＸ１の右方に配置されることとした。首振装置３０が横首振軸ＡＸ１の右方に配置され、バッテリ装着部２３０が横首振軸ＡＸ１の左方に配置されてもよい。また、上述の実施形態において、操作装置２４が横首振軸ＡＸ１の右方に配置されてもよい。
【０１７５】
上述の実施形態において、ロック孔部又は雌ねじ孔部が、本体ハウジング１３に着脱可能なアタッチメント部材に設けられることとした。ロック孔部又は雌ねじ孔部は、本体ハウジング１３に直接設けられてもよい。
【符号の説明】
【０１７６】
１…バッテリ式扇風機、１Ａ…バッテリ式扇風機、１Ｂ…バッテリ式扇風機、１Ｃ…バッテリ式扇風機、１０…本体部、１１…電動モータ、１２…ファン、１３…本体ハウジング、１４…前ハウジング、１４Ｔ…凸部、１５…後ハウジング、１５Ｆ…区画壁、１５Ｇ…貫通孔、１５Ｈｆ…開口、１５Ｈｒ…開口、１６…モータハウジング、１７…ハンドル、１８…支持枠、１９…角度調整機構、２０…台座部、２０Ｆ…脚部、２１…第１収容部、２２…第２収容部、２３…第３収容部、２３ａ…上壁面、２４…操作装置、２５…電源端子、２６…制御基板、２７…内壁、３０…首振装置、３１…首振モータ、３２…支持板、３３…第１ピン、３４…第１リンク、３５…第２ピン、３６…第２リンク、３７…第３ピン、３８…回転板、３９…動力伝達機構、４０…ロック機構、４０Ａ…ロック機構、４０Ｂ…ロック機構、４１…アタッチメント部材、４１Ａ…アタッチメント部材、４２…基部、４２Ａ…基部、４３…筒部、４３Ａ…円筒部、４３ａ…側壁部、４３ｂ…前壁部、４４…ロック孔部、４４Ａ…雌ねじ孔部、４４Ｃ…雌ねじ孔部、４４Ｔ…底面、４４ａ…長孔部、４４ｂ…円孔部、４４ｃ…円孔部、４５…ねじ、４６…ねじ、５１…ボタン機構、５１Ａ…ねじ、５１Ｃ…ねじ、５２…ボタン部、５２ａ…筒部、５２ｂ…前面部、５２ｃ…後面部、５２Ｃ…頭部、５３…軸部、５３Ｃ…胴部、５４…固定部、５４Ａ…雄ねじ部、５４Ｃ…雄ねじ部、５５…ばね、５５Ｃ…ばね、５６…ガイド部、５７…ガイド部、５８…ワッシャ、６１…支持部、６１Ａ…支持部、６１ａ…壁部、６１Ａａ…壁部、６１ｂ…挿通孔、６１Ａｂ…挿通孔、６１ｃ…ガイド孔、６１ｄ…ガイド孔、６１ｅ…筒部、６１Ａｅ…筒部、１００…電動工具用バッテリ、１０１…スライドレール、１０２…解除ボタン、１０３…操作ボタン、１０４…表示装置、１１１…出力軸、１１２…回転子、１２１…円筒部、１２２…羽根部、１３１…凸部、１４１…枠部、１４１ａ…外筒部、１４１ｂ…内筒部、１４１ｃ…前壁部、１４２…網状部、１４３…前フック部、１４３ａ…基部、１４３ｂ…突出部、１４３ｃ…前端面部、１４４…マーク部、１５１…枠部、１５１ａ…外筒部、１５１ｂ…内筒部、１５１ｃ…後壁部、１５２…網状部、１５３…後フック部、１５３ａ…基部、１５３ｂ…突出部、１５３ｃ…後端面部、１５４…マーク部、１７１…突出部、１７２…連結部、１８１…基部、１８２…軸部、１８３…アーム部、１８３Ａ…第１アーム部、１８３Ｂ…第２アーム部、２０１…前面、２０２…後面、２０３…左側面、２０４…右側面、２０５…上面、２０６…下面、２３０…バッテリ装着部、２３０Ｇ…ガイドレール、２３１…第１開口、２３２…第２開口、２４１…電源ボタン、２４２…首振ボタン、２４３…風速操作部、２４４…風速切替ボタン、２４５…風速表示ランプ、２４６…タイマ操作部、２４７…タイマボタン、２４８…タイマ表示ランプ、２５１…カバー、２６１…制御回路、ＡＸ１…横首振軸、ＡＸ２…縦首振軸、ＲＸ…回転軸、Ｓ１…第１空間、Ｓ２…第２空間。
【図１】
2020106018.tif 000003
【図２】
2020106018.tif 000004
【図３】
2020106018.tif 000005
【図４】
2020106018.tif 000006
【図５】
2020106018.tif 000007
【図６】
2020106018.tif 000008
【図７】
2020106018.tif 000009
【図８】
2020106018.tif 000010
【図９】
2020106018.tif 000011
【図１０】
2020106018.tif 000012
【図１１】
2020106018.tif 000013
【図１２】
2020106018.tif 000014
【図１３】
2020106018.tif 000015
【図１４】
2020106018.tif 000016
【図１５】
2020106018.tif 000017
【図１６】
2020106018.tif 000018
【図１７】
2020106018.tif 000019
【図１８】
2020106018.tif 000020
【図１９】
2020106018.tif 000021
【図２０】
2020106018.tif 000022
【図２１】
2020106018.tif 000023
【図２２】
2020106018.tif 000024
【図２３】
2020106018.tif 000025
【図２４】
2020106018.tif 000026
【図２５】
2020106018.tif 000027
【図２６】
2020106018.tif 000028
【図２７】
2020106018.tif 000029
【図２８】
2020106018.tif 000030
【図２９】
2020106018.tif 000031
【図３０】
2020106018.tif 000032
【図３１】
2020106018.tif 000033
【図３２】
2020106018.tif 000034